(57)【要約】【課題】各制御機能付コネクタ装置を個別に管理する手間を省くことができ、かつ、接続先となる電装機器側等に構成を付加することなく、簡易に識別情報を設定すること。【解決手段】  ワイヤーハーネスに複数の制御機能付コネクタ装置を順次接続していく。各制御機能付コネクタ装置を接続した各段階で、各制御機能付コネクタ装置に識別情報設定指令を与える。各制御機能付コネクタ装置は、自己への識別情報が設定済のときに、その自己の識別情報を他の制御機能付コネクタ装置に送信し（ステップＳ３，Ｓ４，Ｓ６）、自己への識別情報が未設定のときに、ワイヤーハーネス１０を介して他の制御機能付コネクタ装置に設定済の識別情報を受信し、設定済の識別情報以外の識別情報を、自己の識別情報として設定する（ステップＳ７，Ｓ８）。【選択図】図３
2005269468.tif 000002
【特許請求の範囲】
【請求項１】
ワイヤーハーネスに接続される複数の制御機能付コネクタ装置のそれぞれに、識別情報を設定するための識別情報設定方法であって、
(a)前記ワイヤーハーネスに順次制御機能付コネクタ装置を接続していく工程と、
(b)前記ワイヤーハーネスに一つの制御機能付コネクタ装置を接続する毎に、そのワイヤーハーネスに接続された各制御機能付コネクタ装置に前記ワイヤーハーネスを通じて識別情報設定指令を与える工程と、
を備え、
前記各制御機能付コネクタ装置は、前記識別情報設定指令に応じて、自己への識別情報が設定済のときに、その自己の識別情報を前記ワイヤーハーネスに送出し、自己への識別情報が未設定のときに、前記ワイヤーハーネスを介してそのワイヤーハーネスに接続された他の制御機能付コネクタ装置に設定済の識別情報を受取り、他の制御機能付コネクタ装置に対して設定済の識別情報以外の識別情報を、自己の識別情報として設定する、識別情報設定方法。
【請求項２】
ワイヤーハーネスに接続される複数の制御機能付コネクタ装置のそれぞれに、識別情報を設定するための識別情報設定装置であって、
ワイヤーハーネスと、
前記ワイヤーハーネスに識別情報設定指令を送出す指令付与手段と、
前記ワイヤーハーネスに接続され、前記ワイヤーハーネスを通じて与えられる前記識別情報設定指令に応じて、自己への識別情報が設定済のときに、その自己の識別情報を前記ワイヤーハーネスに送出し、自己への識別情報が未設定のときに、前記ワイヤーハーネスを介してそのワイヤーハーネスに接続された他の制御機能付コネクタ装置に設定済の識別情報を受取り、他の制御機能付コネクタ装置に対して設定済の識別情報以外の識別情報を、自己の識別情報として設定する制御機能付コネクタ装置と、
を備えた識別情報設定装置。
【請求項３】
ワイヤーハーネスに接続される制御機能付コネクタ装置であって、
前記ワイヤーハーネスを通じて通信を行うための通信回路部と、
識別情報を記憶するための記憶部と、
前記ワイヤーハーネスを通じて与えられる識別情報設定指令に応じて、自己への識別情報が設定済のときに、その自己の識別情報を前記ワイヤーハーネスに向けて送出し、自己への識別情報が未設定のときに、前記ワイヤーハーネスを介してそのワイヤーハーネスに接続された他の制御機能付コネクタ装置に設定済の識別情報を受取り、他の制御機能付コネクタ装置に対して設定済の識別情報以外の識別情報を、自己の識別情報として設定する制御部と、
を備えた制御機能付コネクタ装置。
【請求項４】
請求項３記載の制御機能付コネクタ装置であって、
前記ワイヤーハーネスを通じた電源供給を受けて、識別情報の設定動作を行う、制御機能付コネクタ装置。
【請求項５】
請求項３又は請求項４記載の制御機能付コネクタ装置であって、
前記記憶部に、順位を持つ複数の識別情報のうちの一つが記憶され、
前記制御部は、自己への識別情報が設定済のとき、自己の識別情報の順位が最も小さいと判断されたタイミングで、その自己の識別情報を前記ワイヤーハーネスに向けて送出する、制御機能付コネクタ装置。
【発明の詳細な説明】
【技術分野】
【０００１】
この発明は、負荷制御や通信制御等の制御機能を組込んだ制御機能付コネクタ装置に識別情報を設定するための技術に関する。
【背景技術】
【０００２】
近年、機能向上、汎用性確保等といった目的で、車両に搭載される負荷やセンサ等の電装機器数は増加する一途にある。
【０００３】
これに対応するため、負荷制御等を行う所定の制御回路及び通信制御回路を組込んだ制御機能付コネクタ装置を、モータ等の各種負荷やセンサ等に接続した技術が考えられている。
【０００４】
この種の制御機能付コネクタ装置は、各電装機器に接続されると共に、所定の通信ラインを介して電子制御装置にネットワーク接続されている。そして、各制御機能付コネクタ装置が、各電装機器別に、電子制御装置からの制御指令に基づいて各負荷制御を行ったり、また、センサからの出力を受けてこれを電子制御装置に与える構成となっている。
【０００５】
このような技術は、例えば特許文献１に開示されている。
【０００６】
【特許文献１】特開平７−９５６５８号公報
【発明の開示】
【発明が解決しようとする課題】
【０００７】
ところで、上述のような制御機能付コネクタ装置に対しては、電子制御装置側で各制御機能付コネクタ装置を識別するために、識別情報（アドレス）を付与する必要がある。
【０００８】
このような識別情報を制御機能付コネクタ装置に付与する手法としては、制御機能付コネクタ装置の接続先となる電装機器側のコネクタに、識別情報書込み用の外付け回路を付加しておき、制御機能付コネクタ装置を相手側コネクタに接続することで、識別情報の書込みを行う手法や、専用の識別情報書込装置を用いて、各制御機能付コネクタ装置に識別情報を書込む手法等が想定される。
【０００９】
しかしながら、前者の手法では、接続先となる電装機器側のコネクタに、識別情報書込み用の外付け回路を付加しておく必要があり、その分コストアップを招く。
【００１０】
また、後者の手法において、制御機能付コネクタ装置の製造段階で識別情報を書込んでしまうと、その後、各制御機能付コネクタ装置を対応する電装機器に接続するまで、個別に在庫管理や製造管理を行う必要がある。このため、管理上の手間がかかるという問題を生じる。
【００１１】
これに対し、各制御機能付コネクタ装置をワイヤーハーネスに接続する段階で識別情報を書込むようにすれば、上記のような管理上の問題は解消される。しかしながら、この場合には、各制御機能付コネクタ装置を各機器に接続する作業場所で、専用の書込み装置を用いて、一つずつ各制御機能付コネクタ装置に識別情報を書込む作業が必要となるという問題があった。
【００１２】
そこで、本発明は、各制御機能付コネクタ装置を個別に管理する手間を省くことができ、かつ、接続先となる電装機器側等に構成を付加することなく、簡易に識別情報を設定することができる技術を提供することにある。
【課題を解決するための手段】
【００１３】
上記課題を解決するため、この発明の第１の態様は、ワイヤーハーネスに接続される複数の制御機能付コネクタ装置のそれぞれに、識別情報を設定するための識別情報設定方法であって、(a)前記ワイヤーハーネスに順次制御機能付コネクタ装置を接続していく工程と、(b)前記ワイヤーハーネスに一つの制御機能付コネクタ装置を接続する毎に、そのワイヤーハーネスに接続された各制御機能付コネクタ装置に前記ワイヤーハーネスを通じて識別情報設定指令を与える工程と、を備え、前記各制御機能付コネクタ装置は、前記識別情報設定指令に応じて、自己への識別情報が設定済のときに、その自己の識別情報を前記ワイヤーハーネスに送出し、自己への識別情報が未設定のときに、前記ワイヤーハーネスを介してそのワイヤーハーネスに接続された他の制御機能付コネクタ装置に設定済の識別情報を受取り、他の制御機能付コネクタ装置に対して設定済の識別情報以外の識別情報を、自己の識別情報として設定する。
【００１４】
また、この発明の第２の態様は、ワイヤーハーネスに接続される複数の制御機能付コネクタ装置のそれぞれに、識別情報を設定するための識別情報設定装置であって、ワイヤーハーネスと、前記ワイヤーハーネスに識別情報設定指令を送出す指令付与手段と、前記ワイヤーハーネスに接続され、前記ワイヤーハーネスを通じて与えられる前記識別情報設定指令に応じて、自己への識別情報が設定済のときに、その自己の識別情報を前記ワイヤーハーネスに送出し、自己への識別情報が未設定のときに、前記ワイヤーハーネスを介してそのワイヤーハーネスに接続された他の制御機能付コネクタ装置に設定済の識別情報を受取り、他の制御機能付コネクタ装置に対して設定済の識別情報以外の識別情報を、自己の識別情報として設定する制御機能付コネクタ装置と、を備えたものである。
【００１５】
さらに、この発明の第３の態様は、ワイヤーハーネスに接続される制御機能付コネクタ装置であって、前記ワイヤーハーネスを通じて通信を行うための通信回路部と、識別情報を記憶するための記憶部と、前記ワイヤーハーネスを通じて与えられる識別情報設定指令に応じて、自己への識別情報が設定済のときに、その自己の識別情報を前記ワイヤーハーネスに向けて送出し、自己への識別情報が未設定のときに、前記ワイヤーハーネスを介してそのワイヤーハーネスに接続された他の制御機能付コネクタ装置に設定済の識別情報を受取り、他の制御機能付コネクタ装置に対して設定済の識別情報以外の識別情報を、自己の識別情報として設定する制御部と、を備えたものである。
【００１６】
この場合に、前記ワイヤーハーネスを通じた電源供給を受けて、識別情報の設定動作を行うとよい。
【００１７】
また、前記記憶部に、順位を持つ複数の識別情報のうちの一つが記憶され、前記制御部は、自己への識別情報が設定済のとき、自己の識別情報の順位が最も小さいと判断されたタイミングで、その自己の識別情報を前記ワイヤーハーネスに向けて送出するとよい。
【発明の効果】
【００１８】
この発明の第１の態様によると、各制御機能付コネクタ装置をワイヤーハーネスに接続した段階で、各制御機能付コネクタ装置に識別情報が設定されるため、その前段階で各制御機能付コネクタ装置を個別に管理する手間を省くことができる。
【００１９】
また、各制御機能付コネクタ装置がワイヤーハーネスを介して他の制御機能付コネクタ装置との間で通信を行って、他の制御機能付コネクタ装置に設定済の識別情報とは異なる識別情報を設定するため、接続先となる電装機器側等に構成を付加することなく、簡易に識別情報を設定することができる。
【００２０】
また、この発明の第２の態様によると、各制御機能付コネクタ装置をワイヤーハーネスに接続した段階で、各制御機能付コネクタ装置に識別情報が設定されるため、その前段階で各制御機能付コネクタ装置を個別に管理する手間を省くことができる。
【００２１】
また、各制御機能付コネクタ装置がワイヤーハーネスを介して他の制御機能付コネクタ装置との間で通信を行って、他の制御機能付コネクタ装置に設定済の識別情報とは異なる識別情報を設定することになるため、接続先となる電装機器側等に構成を付加することなく、簡易に識別情報を設定することができる。
【００２２】
さらに、この発明の第３の態様によると、各制御機能付コネクタ装置をワイヤーハーネスに接続した段階で、各制御機能付コネクタ装置に識別情報が設定されるため、その前段階で各制御機能付コネクタ装置を個別に管理する手間を省くことができる。
【００２３】
また、各制御機能付コネクタ装置がワイヤーハーネスを介して他の制御機能付コネクタ装置との間で通信を行って、他の制御機能付コネクタ装置に設定済の識別情報とは異なる識別情報を設定することになるため、接続先となる電装機器側等に構成を付加することなく、簡易に識別情報を設定することができる。
【００２４】
また、この場合に、ワイヤーハーネスを通じた電源供給を受けて、識別情報の設定動作を行うと、別に電源供給手段を設ける必要がないため、便利である。
【００２５】
さらに、制御部が、自己への識別情報が設定済のとき、自己の識別情報の順位が最も小さいと判断されたタイミングで、その自己の識別情報を前記ワイヤーハーネスに向けて送出すると、ワイヤーハーネスに接続された制御機能付コネクタ装置間での信号衝突を回避できる。
【発明を実施するための最良の形態】
【００２６】
以下、この発明の実施形態に係る識別情報設定装置及び識別情報設定方法について説明する。
【００２７】
図１は、識別情報設定装置の全体的な電気的構成を示すブロック図である。
【００２８】
この識別情報設定装置は、ワイヤーハーネス１０に接続される複数の制御機能付コネクタ装置３０のそれぞれに、識別情報を設定するための装置であり、ワイヤーハーネス１０と、指令付与手段としての検査機２０と、制御機能付コネクタ装置３０とを備えている。
【００２９】
ワイヤーハーネス１０は、所定の制御ユニット（図示省略）と上記各制御機能付コネクタ装置３０とを接続する部材である。ここでは、ワイヤーハーネス１０は、電源線１１ａ（例えば＋１２Ｖ）と、グランド線１１ｂと、通信線１１ｃとを含んでいる。
【００３０】
このワイヤーハーネス１０の一端部には、第１のチェック用コネクタ１５が接続されている。本ワイヤーハーネス１０は、第１のチェック用コネクタ１５を介して検査機２０に接続される。
【００３１】
検査機２０は、一般的なコンピュータ等によって構成されており、上記第１のチェック用コネクタ１５を介してワイヤーハーネス１０に接続されている。そして、後述するように、一つの制御機能付コネクタ装置３０を接続する毎の所定のタイミングで、ワイヤーハーネス１０の通信線１１ｃに所定の識別情報設定指令を送出する。例えば、識別情報設定指令として所定の検査コードを含む信号を送信する。また、電源線１１ａ及びグランド線１１ｂを介して、当該ワイヤーハーネス１０に接続された各制御機能付コネクタ装置３０に電源供給を行う。
【００３２】
なお、この検査機２０は、第２のチェック用コネクタ１６をも備えている。そして、各制御機能付コネクタ装置３０がワイヤーハーネス１０に接続された最終段階で、第２のチェック用コネクタ１６が各制御機能付コネクタ装置３０にコネクタ接続されて、各制御機能付コネクタ装置３０の動作チェック等が行われる。
【００３３】
図２は制御機能付コネクタ装置３０の電気的構成を示すブロック図である。
【００３４】
図１及び図２に示すように、制御機能付コネクタ装置３０は、上記ワイヤーハーネス１０にバス接続される。各制御機能付コネクタ装置３０の各端子は、例えば、周知の圧接コネクタ構造等を用いて、ワイヤーハーネス１０の電源線１１ａとグランド線１１ｂと通信線１１ｃにそれぞれ接続される。
【００３５】
また、制御機能付コネクタ装置３０は、通信回路３２とＣＰＵ３４とメモリ３６とを含む回路部３８を有している。なお、この制御機能付コネクタ装置３０は、最終的に各電装機器に接続された状態で、ワイヤーハーネス１０を介して所定の制御ユニットとの間で通信を行い、その制御ユニットからの制御指令に基づいて負荷を制御したり、或は、センサからの検出結果を制御ユニットに送信する機能等の電装機器制御機能をも有しているが、ここでは、その前段階として識別情報を設定する機能に着目して説明する。
【００３６】
メモリ３６は、自己の識別情報を記憶する。このメモリ３６としては、ＥＥＰＲＯＭ等の書換え可能な不揮発性メモリが使用される。
【００３７】
ＣＰＵ３４は、通信回路３２を介して通信線１１ｃに接続されており、通信回路３２及び通信線１１ｃを介して他の制御機能付コネクタ装置３０や制御ユニット等との間で信号を送受信する。
【００３８】
また、このＣＰＵ３４は、電装機器に接続された状態における電装機器の制御動作の他に、電装機器の未接続状態で下記の識別情報設定動作を行う。
【００３９】
すなわち、ワイヤーハーネス１０を通じて与えられる識別情報設定指令に応じて、自己への識別情報が設定済のときに、その自己の識別情報をワイヤーハーネス１０に向けて送出し、当該ワイヤーハーネス１０に接続された他の制御機能付コネクタ装置３０に送信する。一方、自己の識別情報が未設定のときには、ワイヤーハーネス１０を通じて当該ワイヤーハーネス１０に接続された他の制御機能付コネクタ装置３０に設定済の識別情報設定を受信し、他の制御機能付コネクタ装置３０に設定済の識別情報以外の識別情報を、自己の識別情報として決定して、上記メモリ３６に書込む。
【００４０】
図３は、制御機能付コネクタ装置３０の識別情報設定動作を示すフローチャートであり、同図を参照して、識別情報設定動作をより具体的に説明する。
【００４１】
すなわち、所定の制御機能付コネクタ装置３０をワイヤーハーネス１０に接続した後、検査機２０から電源線１１ａを介してその制御機能付コネクタ装置３０に電源（例えば＋１２Ｖ）が供給されると、この電源供給を受けて以下の処理を開始する。
【００４２】
まず、ステップＳ１において、コード待ちを行う。そして、所定時間内に上記検査機２０からの検査コードを受信できず、タイムアウトとなったときには、ステップＳ５に移行して通常処理を行う。この通常処理は、制御機能付コネクタ装置３０が負荷やセンサ等の電装機器に接続された状態で行う電装機器の制御処理である。
【００４３】
一方、ステップＳ１において、上記検査機２０からの検査コードを所定時間内に受信したときには、ステップＳ２に移行し、メモリ３６を参照して、自己の識別情報（ＩＤ）が未設定が否かの判定を行う。そして、自己の識別情報の設定が既になされていると判断されたときには、ステップＳ３に移行し、当該自己の識別情報を他の制御機能付コネクタ装置３０に送信する以下の処理を行う。
【００４４】
すなわち、ステップＳ３において、自己の識別情報の順位が最小か否かの判定を行う。ここで、ワイヤーハーネス１０に接続される各制御機能付コネクタ装置３０に対しては、順位を持つ複数の識別情報のうちの一つが割当てられる。そして、ワイヤーハーネス１０を介して受信された他の制御機能付コネクタ装置３０の識別情報（後述するステップＳ６参照）及び自己の識別情報に基づいて、前記範囲内で自己の識別情報が最小順位のものか否かの判定を行う。例えば、前記範囲内で、既に受信済の他の制御機能付コネクタ装置３０の識別情報を除外して、自己の識別情報が最小順位のものか否かの判定を行う。
【００４５】
そして、自己の識別情報の順位が最小でないと判断されると、ステップＳ６に移行する。ステップＳ６では、ワイヤーハーネス１０に接続された他の制御機能付コネクタ装置３０からの識別情報の受信待ちを行う。
【００４６】
ここで、他の制御機能付コネクタ装置３０からの識別情報を受信すると、ステップＳ３に戻って、自己の識別情報の順位が最小か否かの判定を行う。
【００４７】
そして、自己の識別情報の順位が最小であると判断されるまで、ステップＳ３，Ｓ６の処理が繰返され、ステップＳ３において、自己の識別情報の順位が最小であると判断されると、ステップＳ４に移行してその自己の識別情報を、ワイヤーハーネス１０の通信線１１ｃに向けて送出して、当該ワイヤーハーネス１０に接続された他の制御機能付コネクタ装置３０に与え、処理を終了する。
【００４８】
このようなステップＳ３，Ｓ４，Ｓ６の処理によって、自己の識別情報の順位が最も小さいと判断されたタイミングで、その自己の識別情報がワイヤーハーネス１０に向けて送出されることになる。
【００４９】
なお、ステップＳ６において、所定時間内に、ワイヤーハーネス１０に接続された他の制御機能付コネクタ装置３０からの識別情報を受信できず、タイムアウトとなったときには、ステップＳ４に移行して、自己の識別情報の送出を行う。
【００５０】
一方、ステップＳ２において、自己の識別情報が設定無しと判断されたときには、ステップＳ７に移行し、自己の識別情報を設定する以下の処理を行う。
【００５１】
すなわち、ステップＳ７において、ワイヤーハーネス１０に接続された他の制御機能付コネクタ装置３０からの識別情報を所定時間受信待ちする。そして、所定時間内に他の制御機能付コネクタ装置３０からの識別情報を受信すると、再度、受信待ち動作を行う。ステップＳ７において、所定時間内に他の制御機能付コネクタ装置３０からの識別情報を所定時間内に受信できず、タイムアウトになると、ステップＳ８に移行する。
【００５２】
ステップＳ８では、ステップＳ７で受信された他の各制御機能付コネクタ装置３０の識別情報に基づいて、他の各制御機能付コネクタ装置３０に設定済の識別情報以外の識別情報を決定し、その識別情報を自己の識別情報としてメモリ３６に書込む。例えば、他の各制御機能付コネクタ装置３０に設定済の識別情報のうち最も大きな順位を持つ識別情報の次順位の識別情報を、自己の識別情報として設定する。この後、処理を終了する。
【００５３】
以上のように構成された識別情報設定装置において、ワイヤーハーネス１０に複数の制御機能付コネクタ装置３０を取付けつつ、各制御機能付コネクタ装置３０に識別符号を設定する手順について説明する。なお、この説明では、ワイヤーハーネス１０に接続される制御機能付コネクタ装置３０を、そのワイヤーハーネス１０に接続される順番で、符号３０Ａ，３０Ｂ，３０Ｃと区別する。
【００５４】
まず、図４に示すように、ワイヤーハーネス１０の端部にチェック用コネクタ１５を接続する。なお、このチェック用コネクタ１５は、検査機２０に接続されており、検査機２０からチェック用コネクタ１５を介してワイヤーハーネス１０の電源線１１ａに電源供給がなされると共に、通信線１１ｃに所定の信号を送出可能に構成されている。
【００５５】
また、ワイヤーハーネス１０に制御機能付コネクタ装置３０Ａを、圧接等の手法にて、ワイヤーハーネス１０の途中に接続する。
【００５６】
この状態で、作業者の所定のスイッチ操作等に応じて、或は、制御機能付コネクタ装置３０Ａとワイヤーハーネス１０とを圧接等で接続する加工装置の接続終了検知信号に応じて、検査機２０からワイヤーハーネス１０を通じて、制御機能付コネクタ装置３０Ａに対して、電源供給がなされると共に、検査コードを含む識別情報設定指令が与えられる。
【００５７】
これにより、制御機能付コネクタ装置３０Ａは、自己の識別情報を設定する動作を行う（図４のステップＳ１、Ｓ２，Ｓ７，Ｓ８参照）。
【００５８】
この後、検査機２０からの電源供給は一旦オフ状態となる。
【００５９】
次に、図５に示すように、ワイヤーハーネス１０の途中に、他の制御機能付コネクタ装置３０Ｂを上記と同様にして接続する。この後、検査機２０からワイヤーハーネス１０を通じて、制御機能付コネクタ装置３０Ａ，３０Ｂに対して、電源供給がなされると共に、検査コードを含む識別情報設定指令が与えられる。
【００６０】
すると、既に識別情報設定済の制御機能付コネクタ装置３０Ａでは、自己の識別情報を他の制御機能付コネクタ装置３０Ｂに送信する処理が行われる（図４のステップＳ１，Ｓ２，Ｓ３，Ｓ４参照）。
【００６１】
また、識別情報未設定の制御機能付コネクタ装置３０Ｂでは、上記制御機能付コネクタ装置３０Ａの識別情報が受信され、その受信された識別情報以外の識別情報を自己の識別情報として設定する処理が行われる（図４のステップＳ１、Ｓ２，Ｓ７，Ｓ８参照）。
【００６２】
この後、検査機２０からの電源供給は一旦オフ状態となる。
【００６３】
この後、さらに、図６に示すように、ワイヤーハーネス１０の途中に、他の制御機能付コネクタ装置３０Ｃを上記と同様にして接続する。この後、検査機２０からワイヤーハーネス１０を通じて、制御機能付コネクタ装置３０Ａ，３０Ｂ，３０Ｃに対して、電源供給がなされると共に、検査コードを含む識別情報設定指令が与えられる。
【００６４】
すると、既に識別情報設定済の制御機能付コネクタ装置３０Ａ，３０Ｂでは、識別情報の順位に応じた所定のタイミングで、自己の識別情報を他の制御機能付コネクタ装置３０Ａ，３０Ｂ，３０Ｃに送信する処理が行われる（図４のステップＳ１，Ｓ２，Ｓ３，Ｓ４，Ｓ６参照）。すなわち、制御機能付コネクタ装置３０ＡではステップＳ１，Ｓ２，Ｓ３，Ｓ４の処理、制御機能付コネクタ装置３０ＢではステップＳ１，Ｓ２，Ｓ３，Ｓ６，Ｓ３，Ｓ４の処理がなされる。
【００６５】
また、識別情報未設定の制御機能付コネクタ装置３０Ｃでは、上記制御機能付コネクタ装置３０Ａ，３０Ｂの識別情報が受信され、その受信された識別情報以外の識別情報を自己の識別情報として設定する処理が行われる（図４のステップＳ１、Ｓ２，Ｓ７，Ｓ８参照）。
【００６６】
このように、ワイヤーハーネス１０に複数の制御機能付コネクタ装置３０Ａ，３０Ｂ，３０Ｃを接続してそれぞれに識別情報を設定した後、最後に、図７に示すように、検査機２０に接続された第２のチェック用コネクタ１６を、各制御機能付コネクタ装置３０Ａ，３０Ｂ，３０Ｃに接続して、その各動作チェックを行う。
【００６７】
このようにワイヤーハーネス１０に接続された各制御機能付コネクタ装置３０Ａ，３０Ｂ，３０Ｃは、車両に搭載される各種電装機器（例えば、モータやリレーなどの負荷やＳＷ（スイッチ）やセンサ等）に接続される。そして、ワイヤーハーネス１０を通じて所定の制御ユニットから制御信号を受取り、制御信号に基づいて、接続先となる電装機器側の負荷の駆動制御を行い、或は、センサ出力を受取って、ワイヤーハーネス１０を通じて制御ユニットに送信する。そして、制御ユニットが各制御機能付コネクタ装置３０Ａ，３０Ｂ，３０Ｃ制御指令を与えたり或はセンサ出力を受取る際に、各識別情報によって各制御機能付コネクタ装置３０Ａ，３０Ｂ，３０Ｃを識別する。
【００６８】
このように構成された識別情報設定装置及び識別情報設定方法によると、各制御機能付コネクタ装置３０をワイヤーハーネス１０に接続した段階で、各制御機能付コネクタ装置３０に識別情報が設定されるため、その前段階で各制御機能付コネクタ装置３０を個別に管理する手間を省くことができる。
【００６９】
また、各制御機能付コネクタ装置３０がワイヤーハーネス１０を介して他の制御機能付コネクタ装置３０との間で通信を行って、他の制御機能付コネクタ装置３０に設定済の識別情報とは異なる識別情報を設定するため、接続先となる電装機器側等に構成を付加することなく、例えば、制御機能付コネクタ装置３０に上記設定動作を行うプログラムを付加するだけで、簡易に識別情報を設定することができる。
【００７０】
また、この場合に、ワイヤーハーネス１０を通じた電源供給を受けて、各制御機能付コネクタ装置３０が識別情報の設定動作を行うため、別に電源供給手段を設ける必要がなく、便利である。
【００７１】
また、識別情報設定済の制御機能付コネクタ装置３０においては、図４のステップＳ３，Ｓ４，Ｓ６に示すように、自己の識別情報の順位が最も小さいと判断されたタイミングで、その自己の識別情報をワイヤーハーネス１０に向けて送出するため、ワイヤーハーネス１０に接続された制御機能付コネクタ装置３０間での信号衝突を回避できる。
【図面の簡単な説明】
【００７２】
【図１】この発明の実施形態に係る識別情報設定装置の全体的な電気的構成を示すブロック図である。
【図２】制御機能付コネクタ装置の電気的構成を示すブロック図である。
【図３】制御機能付コネクタ装置の識別情報設定動作を示すフローチャートである。
【図４】ワイヤーハーネスに一つめの制御機能付コネクタ装置を接続した状態を示す説明図である。
【図５】ワイヤーハーネスに二つめの制御機能付コネクタ装置を接続した状態を示す説明図である。
【図６】ワイヤーハーネスに三つめの制御機能付コネクタ装置を接続した状態を示す説明図である。
【図７】ワイヤーハーネスに接続された各制御機能付コネクタ装置の動作チェックを行う状態を示す図である。
【符号の説明】
【００７３】
１０  ワイヤーハーネス
１１ａ  電源線
１１ｂ  グランド線
１１ｃ  通信線
１５  第１のチェック用コネクタ
２０  検査機
３０  制御機能付コネクタ装置
３２  通信回路
３４  ＣＰＵ
３６  メモリ
３８  回路部
【図１】
2005269468.tif 000003
【図２】
2005269468.tif 000004
【図３】
2005269468.tif 000005
【図４】
2005269468.tif 000006
【図５】
2005269468.tif 000007
【図６】
2005269468.tif 000008
【図７】
2005269468.tif 000009